(57)【要約】【課題】ポインティングデバイスを備えるリモートコントローラの操作性を向上させる。【解決手段】ポインティングデバイス付きリモートコントローラ２０に、マウスのボタンに相当する機能を有するＥｎｔｅｒキー２４を設ける。Ｅｎｔｅｒキー２４は、ポインティングデバイスの操作モードがドラッグモードであるか否かに応じて、発光色を切り換え可能な発光ダイオードを内部に備えており、発光色によって、操作モードがドラッグモードであるときに、その旨をユーザに報知する。【選択図】  図２
2004318673.tif 000002
【特許請求の範囲】
【請求項１】
ポインティングデバイスを備えるリモートコントローラであって、
ユーザによる所定の操作によって、前記ポインティングデバイスの操作モードを、ドラッグ操作を行うためのドラッグモードと、他のモードとの間で切り換えるための切換操作部と、
前記操作に応じて、前記操作モードが切り換えられたこと、または、前記切り換えられた後の前記操作モードの種類を、前記ユーザに報知するための報知部と、
を備えるリモートコントローラ。
【請求項２】
請求項１記載のリモートコントローラであって、
前記切換操作部は、前記操作モードを切り換えるための専用の切換専用操作部を備える、
リモートコントローラ。
【請求項３】
請求項１記載のリモートコントローラであって、
前記切換操作部は、前記操作モードを前記他のモードから前記ドラッグモードに切り換えるための切換操作と、該切換操作とは異なる他の操作とに共通に用いられる共通操作部を備えており、
前記所定の操作は、前記共通操作部に対して、所定時間以上、単一の操作を継続する操作である、
リモートコントローラ。
【請求項４】
請求項１記載のリモートコントローラであって、
前記切換操作部は、前記操作モードが前記ドラッグモードであるときに、該ドラッグモードを解除して、前記他のモードに切り換えるための解除用操作部を、前記ポインティングデバイスとは別に備える、
リモートコントローラ。
【請求項５】
請求項１記載のリモートコントローラであって、
前記報知部は、前記操作モードが切り換えられたこと、または、前記切り換えられた後の前記操作モードの種類を示す所定の表示を行う表示部を備える、
リモートコントローラ。
【請求項６】
請求項５記載のリモートコントローラであって、
前記表示部は、発光部を備える、
リモートコントローラ。
【請求項７】
請求項６記載のリモートコントローラであって、
前記発光部は、前記操作モードの種類に応じて、発光色を切り換え可能である、
リモートコントローラ。
【請求項８】
請求項６記載のリモートコントローラであって、
前記発光部は、前記切換操作部を発光させる、
リモートコントローラ。
【請求項９】
請求項５記載のリモートコントローラであって、
前端に、所定の信号を発信する信号発信部と、
後端に、前記ポインティングデバイスの操作以外の操作を行うための操作部と、を備え、
前記表示部は、前記信号発信部と前記操作部との間のいずれかの部位に設けられている、
リモートコントローラ。
【発明の詳細な説明】
【０００１】
【発明の属する技術分野】
本発明は、ポインティングデバイス付きリモートコントローラに関する。
【０００２】
【従来の技術】
従来、画像を拡大投写するプロジェクタは、プレゼンテーションに広く利用されている。プレゼンテーションでは、プロジェクタとパーソナルコンピュータとを接続し、パーソナルコンピュータで、いわゆるプレゼンテーションソフトなどのアプリケーションソフトウェア（以下、単にアプリケーションと呼ぶ）を実行して、その画像をプロジェクタで投写する場合もある。
【０００３】
このようなプロジェクタには、リモートコントローラが付属されている。このリモートコントローラは、ポインティングデバイスを備えており、ユーザは、これを利用してパーソナルコンピュータで実行されているアプリケーションの動作を遠隔操作することができる。例えば、特許文献１には、ポインティングデバイスを備えるリモートコントローラの操作性を向上させる技術が記載されている。この特許文献１には、ポインティングデバイスにおける、ドラッグモードの設定および解除を容易に行う技術が開示されている。
【０００４】
【特許文献１】
特開２００１−２６５５２６号公報
【０００５】
【発明が解決しようとする課題】
しかし、リモートコントローラのユーザは、ポインティングデバイスがドラッグモードに設定されているか否かが分かりにくかった。つまり、リモートコントローラの操作性に関し、更なる改善の余地があった。
【０００６】
本発明は、上述の課題を解決するためになされたものであり、ポインティングデバイスを備えるリモートコントローラの操作性を向上させることを目的とする。
【０００７】
【課題を解決するための手段およびその作用・効果】
上述の課題の少なくとも一部を解決するため、本発明では、以下の構成を採用した。
本発明のリモートコントローラは、
ポインティングデバイスを備えるリモートコントローラであって、
ユーザによる所定の操作によって、前記ポインティングデバイスの操作モードを、ドラッグ操作を行うためのドラッグモードと、他のモードとの間で切り換えるための切換操作部と、
前記操作に応じて、前記操作モードが切り換えられたこと、または、前記切り換えられた後の前記操作モードの種類を、前記ユーザに報知するための報知部と、
を備えることを要旨とする。
【０００８】
切換操作部には、例えば、ボタンや、レバーや、切換スイッチや、タッチパネルなどを用いることができる。報知部は、人間の五感で認識可能な方法で報知すればよい。報知部は、操作モードが切り換えられたときに、その旨を報知するものとしてもよいし、操作モードの種類を報知するものとしてもよいし、また、操作モードがドラッグモードのときにだけ報知するものとしてもよい。
【０００９】
本発明によって、ユーザは、リモートコントローラで、ポインティングデバイスの操作モードが切り換えられたことや、どの操作モードに設定されているかを容易に認識することができる。したがって、ポインティングデバイスを備えるリモートコントローラの操作性を向上させることができる。
【００１０】
本発明のリモートコントローラにおいて、
前記切換操作部は、前記操作モードを切り換えるための専用の切換専用操作部を備えるようにすることができる。
【００１１】
切換専用操作部は、他のモードからドラッグモードへ切り換えるための専用のものであってもよいし、ドラッグモードから他のモードへ切り換えるために兼用されてもよい。本発明によって、操作モードの切り換えを確実に行うことができる。
【００１２】
また、本発明のリモートコントローラにおいて、
前記切換操作部は、前記操作モードを前記他のモードから前記ドラッグモードに切り換えるための切換操作と、該切換操作とは異なる他の操作とに共通に用いられる共通操作部を備えており、
前記所定の操作は、前記共通操作部に対して、所定時間以上、単一の操作を継続する操作であるようにしてもよい。
【００１３】
例えば、１つのボタンが、所定時間以上の押下では、操作モードをドラッグモードに切り換えるためのボタンとして機能し、所定時間未満の押下では、他の処理を行うためのボタンとして機能する態様である。共通操作部は、１つのボタン等に限られず、他の操作に用いられる全ての操作部を共通操作部としてもよい。こうすることによって、リモートコントローラ上に配置される各種設定や操作を行うためのボタンなどの数を減らすことができる。
【００１４】
本発明のリモートコントローラにおいて、
前記切換操作部は、前記操作モードが前記ドラッグモードであるときに、該ドラッグモードを解除して、前記他のモードに切り換えるための解除用操作部を、前記ポインティングデバイスとは別に備えるようにしてもよい。
【００１５】
このような解除用操作部は、解除専用に用いられるものとしてもよいし、解除の操作以外の操作と共通に用いられるものとしてもよい。例えば、通常は、ポインティングデバイスの操作以外の操作に用いられるボタンなどにドラッグモードを解除する機能を割り当てるようにすることができる。こうすることによって、ポインティングデバイスの操作モードがドラッグモードであるときに、容易に切り換えることができる。また、通常マウスを用いて行う「ドラッグ＆ドロップ」と類似した感覚でポインティングを操作することができるため、操作し易いという効果もある。
【００１６】
本発明のリモートコントローラにおいて、
前記報知部は、前記操作モードが切り換えられたこと、または、前記切り換えられた後の前記操作モードの種類を示す所定の表示を行う表示部を備えるようにすることができる。
【００１７】
こうすることによって、ユーザは、操作モードが切り換えられたことや、どの操作モードに設定されているかを容易に視認ことができる。
【００１８】
上記リモートコントローラにおいて、前記表示部は、液晶パネルを備えるようにするなど種々の態様を採ることが可能であるが、
前記表示部は、発光部を備えるようにすることができる。
【００１９】
発光部には、例えば、豆電球や、発光ダイオードなどを適用することができる。こうすることによって、表示部を簡易に構成することができる。
【００２０】
さらに、上記リモートコントローラにおいて、
前記発光部は、前記操作モードの種類に応じて、例えば、オン／オフや明るさを切り換えるなど種々の態様で切り換え可能とすることができるが、発光色を切り換え可能であるようにしてもよい。
【００２１】
こうすることによって、ユーザは、どの操作モードに設定されているかを、さらに視認しやすくすることができる。
【００２２】
また、前記発光部は、前記切換操作部を発光させるようにすることができる。
【００２３】
このような構成としては、例えば、切換操作部を半透明の文字盤を有するボタンとし、その内部に発光ダイオードなどを備える構成が挙げられる。こうすることによって、リモートコントローラ上のスペースを効率的に利用することができる。
【００２４】
なお、上記表示部を備えるリモートコントローラにおいて、
前端に、所定の信号を発信する信号発信部と、
後端に、前記ポインティングデバイスの操作以外の操作を行うための操作部と、を備え、
前記表示部は、前記信号発信部と前記操作部との間のいずれかの部位に設けられているようにすることが好ましい。
【００２５】
ポインティングデバイスを備えるリモートコントローラにおいて、ポインティングデバイスは、前記信号発信部と前記操作部と間に設けられることが多い。本発明によって、表示部は、ポインティングデバイスの比較的近傍に設けられるので、ユーザは、ポインティングデバイスの操作時の視点の移動を少なくすることができる。
【００２６】
本発明は、上述のリモートコントローラとしての構成の他、リモートコントローラの制御方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００２７】
本発明をコンピュータプログラムまたはそのプログラムを記録した記録媒体等として構成する場合には、リモートコントローラの動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【００２８】
【発明の実施の形態】
以下、本発明の実施の形態について、実施例に基づき以下の順序で説明する。
Ａ．画像表示システム：
Ｂ．リモートコントローラ：
Ｃ．操作モード切換処理：
Ｄ．変形例：
【００２９】
Ａ．画像表示システム：
図１は、本発明の一実施例としてのリモートコントローラを適用した画像表示システム１００の構成を示す説明図である。この画像表示システム１００は、プロジェクタ１０とパーソナルコンピュータ３０と、スクリーンＳＣとを備えている。プロジェクタ１０には、リモートコントローラ２０が付属されている。ユーザは、リモートコントローラ２０を用いて、プロジェクタ１０を操作することができる。
【００３０】
プロジェクタ１０とパーソナルコンピュータ３０とは、ビデオケーブルを介して接続されている。プロジェクタ１０は、パーソナルコンピュータ３０から受信した画像をスクリーンＳＣ上に投写する。
【００３１】
また、プロジェクタ１０とパーソナルコンピュータ３０とは、ＵＳＢケーブルを介して接続されている。リモートコントローラ２０は、後述するポインティングデバイスを備えており、ユーザは、このポインティングデバイスを用いて、プロジェクタ１０を介して、パーソナルコンピュータ３０の画面上のポインタＰ１を移動させ、操作することも可能である。
【００３２】
Ｂ．リモートコントローラ：
図２は、リモートコントローラ２０の操作面の一例を示す説明図である。リモートコントローラ２０は、電源ボタン２１や、プロジェクタ１０の各種設定および操作を行うためのコマンド入力ボタン２２を備えている。
【００３３】
また、リモートコントローラ２０は、パーソナルコンピュータ３０の画面上のポインタＰ１を移動させるためのポインタ操作ボタン２３（ポインティングデバイス）や、Ｅｎｔｅｒキー２４や、Ｅｓｃキー２５や、テンキー２６を備えている。Ｅｎｔｅｒキー２４およびＥｓｃキー２５は、ポインタ操作時のユーザの視線の移動を少なくできるように、ポインタ操作ボタン２３の近傍に設けられている。Ｅｎｔｅｒキー２４は、通常パーソナルコンピュータ３０に接続されるマウスの左ボタンとしての機能も有している。また、Ｅｓｃキー２５は、マウスの右ボタンとしての機能も有している。ユーザは、これらを用いて、「クリック」、「ダブルクリック」、「ドラッグ＆ドロップ」等、マウス操作と同様の操作を行うことができる。
【００３４】
なお、リモートコントローラ２０は、ユーザが薄暗い部屋の中でもボタン操作を行い易いように、各ボタンの内部に図示しない緑色の発光ダイオードを備えている。発光ダイオードの代わりに、豆電球など他の照明を用いるようにしてもよい。
【００３５】
本実施例のリモートコントローラ２０では、ユーザがＥｎｔｅｒキー２４を１．５秒以上継続して押下することによって、ポインティングデバイスの操作モードをドラッグモードに切り換えることが可能である。また、操作モードがドラッグモードであるときに、ポインタ操作ボタン２３以外のボタンが押下されたときには、ドラッグモードを解除して、通常の操作モード（通常モード）に切り換えることが可能である。これら各ボタンは、本発明の切換操作部、および、解除用操作部に相当する。また、Ｅｎｔｅｒキー２４は、本発明の共通操作部に相当する。
【００３６】
なお、Ｅｎｔｅｒキー２４は、緑色と赤色の２色の発光ダイオードを備えており、ポインティングデバイスの操作モードの種類に応じて、発光色を切り換え可能である。本実施例では、Ｅｎｔｅｒキー２４の発光ダイオードは、通常モードのときには緑色に、ドラッグモードのときには赤色に発光させるものとした。この発光ダイオードを備えるＥｎｔｅｒキー２４は、本発明の報知部、および、表示部にも相当する。
【００３７】
リモートコントローラ２０は、内部に、図示しないＣＰＵや、ＲＡＭや、ＲＯＭなどを備えている。ＣＰＵは、各種ボタンの操作に応じた処理を実行し、Ｅｎｔｅｒキー２４の発光ダイオードの発光色を切り換えたり、リモートコントローラ２０の前端に設けられた信号発信部２７から赤外線を用いて、プロジェクタ１０およびパーソナルコンピュータ３０の動作制御を行うための各種信号を送信したりする。
【００３８】
Ｃ．操作モード切換処理：
図３は、ポインティングデバイスの操作モードの切換処理の流れを示すフローチャートである。リモートコントローラのＣＰＵが実行する処理である。まず、ポインティングデバイスの操作モードが通常モードか否かを判断する（ステップＳ１００）。この判断は、リモートコントローラのＲＯＭ内に、ドラッグモードを表すフラグが立っているか否かに基づいてなされる。
【００３９】
操作モードが通常モードであるときに、ユーザによってＥｎｔｅｒキー２４が押下されると（ステップＳ１１０）、Ｅｎｔｅｒキー２４が１．５秒以上押下されたか否かを判断する（ステップＳ１２０）。１．５秒未満しか押下されなかった場合は、ドラッグモードへの切換処理は行わない。
【００４０】
ステップＳ１２０において、Ｅｎｔｅｒキー２４が１．５秒以上押下された場合は、ドラッグモードを表すフラグを立てることにより、操作モードをドラッグモードに切り換える（ステップＳ１３０）。そして、Ｅｎｔｅｒキー２４の発光ダイオードの発光色を、緑色から赤色に切り換える（ステップＳ１４０）。
【００４１】
ステップＳ１００において、操作モードがドラッグモードであるときに、ポインタボタン２３以外のいずれかのキーが押下されたときには（ステップＳ１５０）、操作モードを通常モードに切り換える（ステップＳ１６０）。そして、Ｅｎｔｅｒキー２４の発光ダイオードの発光色を、赤色から緑色に切り換える（ステップＳ１７０）。
【００４２】
以上説明した本実施例の画像表示システム１００によれば、ユーザは、ポインティングデバイスの操作モードがどのモードに設定されているのかを、リモートコントローラ２０のＥｎｔｅｒキー２４に備えられた発光ダイオードの発光色によって容易に視認することができる。したがって、リモートコントローラ２０の操作性を向上させることができる。
【００４３】
Ｄ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形例が可能である。
【００４４】
Ｄ１．変形例１：
上記実施例では、Ｅｎｔｅｒキー２４の発光ダイオードの発光色によって、ポインティングデバイスの操作モードの種類をユーザに報知するものとしたが、これに限られない。例えば、発光ダイオードのオン／オフや、明るさの変化によって報知するようにしてもよい。また、操作モードが切り換えられたことを報知するようにしてもよい。また、操作モードがドラッグモードであるときにだけ報知するようにしてもよい。
【００４５】
また、上記実施例では、発光ダイオードは、Ｅｎｔｅｒキー２４と一体的に備えられるものとしたが、Ｅｎｔｅｒキー２４と別に備えるようにしてもよい。
【００４６】
また、リモートコントローラ２０に液晶パネルなどの表示部を設け、操作モードがどのモードに設定されているかを表示するようにしてもよい。
【００４７】
また、リモートコントローラ２０に、報知部として、発光ダイオードの代わりに、簡易的なスピーカを設け、操作モードが切り換えられたことを、ビープ音で報知するようにしてもよい。また、リモートコントローラ２０に、バイブレータを設け、バイブレータのオ／オフによって、操作モードがドラッグモードであるか否かを報知するようにしてもよい。
【００４８】
Ｄ２．変形例２：
上記実施例では、Ｅｎｔｅｒキー２４を共通操作部として利用するものとしたが、操作モード切換え専用のボタンを設けるようにしてもよい。
【００４９】
Ｄ３．変形例３：
上記実施例では、切換操作部として、ボタンを利用したが、これに限られない。ボタンの代わりに、レバーや、スイッチや、タッチパネルなどを用いるようにしてもよい。
【００５０】
Ｄ４．変形例４：
上記実施例では、本実施例では、プロジェクタ１０とパーソナルコンピュータ３０とは、ケーブルを介して接続されているものとしたが、無線通信を介して接続されるものとしてもよい。
【００５１】
Ｄ５．変形例５：
上記実施例では、リモートコントローラ２０に報知部を備えるものとしたが、これに限られない。例えば、操作モードの種類に応じて、スクリーンＳＣ上に表示されるポインタＰ２の表示態様（色、形、模様など）や、画面の色や明るさなどを切り換えることによって、操作モードの種類を報知するようにしてもよい。また、スクリーンＳＣ上に、設定されている操作モードの種類を示すマークを表示するようにしてもよい。なお、これらの表示切換処理は、プロジェクタ１０内で行うものとしてもよいし、パーソナルコンピュータ３０内で行うものとしてもよい。
【図面の簡単な説明】
【図１】本発明の一実施例としてのリモートコントローラを適用した画像表示システム１００の構成を示す説明図である。
【図２】リモートコントローラ２０の操作面の一例を示す説明図である。
【図３】ポインティングデバイスの操作モードの切換処理の流れを示すフローチャートである。
【符号の説明】
１００…画像表示システム
１０…プロジェクタ
２０…リモートコントローラ
２１…電源ボタン
２２…コマンド入力ボタン
２３…ポインタ操作ボタン
２４…Ｅｎｔｅｒキー
２５…Ｅｓｃキー
２６…テンキー
２７…信号発信部
３０…パーソナルコンピュータ
Ｐ１、Ｐ２…ポインタ
ＳＣ…スクリーン
【図１】
2004318673.tif 000003
【図２】
2004318673.tif 000004
【図３】
2004318673.tif 000005